(57)【特許請求の範囲】
【請求項１】
インナーウェアの内面に接着されるベース層、前記ベース層の上に積層された健康機能性物質層、及び前記健康機能性物質層の上に積層されて皮膚に接触する自己粘着層で構成された筋肉テープが内面に接着され、
前記ベース層は液状シリコンをプリント方式で前記インナーウェアの内面に塗布し、一部が前記インナーウェアに吸収された状態で熱硬化によって前記インナーウェアに接着され、
前記健康機能性物質層は、
ａ）該当する人体部位の症状に応じて異なる健康機能性物質を包有し、
ｂ）前記筋肉テープごとに異なる健康機能性物質を包有し、
ｃ）密度の調節によって前記健康機能性物質層の健康機能性の強弱が調節された、
ことを特徴とする健康機能性自己粘着インナーウェア。
【請求項２】
前記筋肉テープは前記インナーウェアの内面に多数個が接着され、それぞれの前記筋肉テープは互いに異なる厚さの自己粘着層を有することを特徴とする請求項１に記載の健康機能性自己粘着インナーウェア。
【発明の詳細な説明】
【技術分野】
【０００１】
本発明は健康機能性自己粘着インナーウェアに関し、特に、人体部位に応じて互いに異なる健康機能性を示す健康機能性自己粘着インナーウェアに関する。
【背景技術】
【０００２】
本発明者による特許文献１は、着用時に弾力的に人体の皮膚と直接接触し、人体の各部位に対応して予め決まれたパターンで形成されて、自己粘着性を有するシリコン材質で構成された筋肉テープが内面に付着され、前記筋肉テープは前記皮膚に前記自己粘着性で粘着されて、前記人体の動きに応じて前記皮膚を引き上げることを特徴とする機能性弾力インナーウェアを開示している。
【０００３】
前記特許文献１によると、人体の各部位別に筋骨格系及び靭帯の機能を補助し、２次損傷を防止し負傷部位を支持するだけでなく、血液循環系の円滑な流れを提供する効果と、人体の各部位別に正確な位置にテープを付着することができ、人体の動きにも位置が変更されずに皮膚との間で間隔が発生せず、テーピングの施術効果が優位である。
【先行技術文献】
【特許文献】
【０００４】
【特許文献１】韓国登録特許第１２６８５９９号公報
【発明の概要】
【発明が解決しようとする課題】
【０００５】
しかし、前記特許文献１は以下のような問題点を有する。
【０００６】
第一に、シリコン材質の筋肉テープをインナーウェアの内面に付着するための方法のうち、生産効率がよい方法としては、液状のシリコンを塗布し硬化して形成する方法があるが、実際に液状のシリコンをインナーウェアの内面に塗布するとインナーウェアに吸収されてしまい、一定な厚さを有する筋肉テープを形成することが難しい問題点がある。
【０００７】
第二に、単純に筋肉テープによって皮膚が引き上げられることで皮膚と筋肉との間に空間が発生し、この空間を介してリンパ液の流れが円滑になり、同時に血管が膨張しながら血管中の血の流れが円滑になること以外には他の健康機能性を有しないため、使用範囲が制限される問題点がある。
【０００８】
そこで、本発明の目的は、内面に容易に付着される構成を備えた筋肉テープが付着された健康機能性自己粘着インナーウェアを提供することである。
【０００９】
本発明の他の目的は、人体の各部位別に互いに異なる健康機能性を示して使用範囲を広げられる健康機能性自己粘着インナーウェアを提供することである。
【課題を解決するための手段】
【００１０】
前記目的は、インナーウェアの内面に接着されるベース層、前記ベース層の上に積層された健康機能性物質層、及び前記健康機能性物質層の上に積層されて皮膚に接触する自己粘着層で構成された筋肉テープが内面に接着され、前記ベース層は液状シリコンをプリント方式で前記インナーウェアの内面に塗布し、一部が前記インナーウェアに吸収された状態で熱硬化によって前記インナーウェアに接着され、前記健康機能性物質層に含有された健康機能性物質は、前記筋肉テープの自己粘着層が接触する人体部位に応じて、または該当部位の症状に応じて異なることを特徴とする健康機能性自己粘着インナーウェアによって達成される。
【００１１】
好ましくは、前記健康機能性物質層に含有された健康機能性物質は、前記人体部位に応じて互いに異なる密度を有する。
【００１２】
好ましくは、前記筋肉テープは前記インナーウェアの内面に多数個が接着され、それぞれの前記筋肉テープは互いに異なる厚さの自己粘着層を有する。
【発明の効果】
【００１３】
上述した構造によると、液状シリコンをインナーウェアにプリントし硬化してインナーウェアと接触するベース層を先に形成することで、後に健康機能性物質層や自己粘着層を形成するために液状のシリコンを塗布してもインナーウェアに吸収されないため、生産効率的に筋肉テープを製造することができる利点がある。
【００１４】
また、筋肉テープの特定パターンによって人体の各部位別に筋骨格系及び靭帯の機能を補助し、２次損傷を防止し負傷部位を支持するが、特に、筋肉テープの自己粘着性によって人体に動きがあっても該当部位に付着された状態を維持することができ、皮膚との間に間隔が発生しないためテーピング施術の効果が優位である。
【００１５】
また、筋肉テープ自体でシリコン材質の自己粘着性によって血液循環系の円滑な流れを提供するだけでなく、健康機能性物質層に含有された健康機能性物質によって血液とリンパ液の循環が円滑になった状態で健康機能性を提供するため、その効果が更に倍加する。
【図面の簡単な説明】
【００１６】
【図１】本発明による健康機能性自己粘着インナーウェアを着用した状態を示す図である。
【図２】健康機能性自己粘着インナーウェアの一例を示す図である。
【図３】健康機能性自己粘着インナーウェアの内面に付着された筋肉テープの断面を示す図である。
【発明を実施するための形態】
【００１７】
以下、添付した図面を参照して本発明の実施形態を詳細に説明する。
【００１８】
図１は本発明による健康機能性自己粘着インナーウェアを着用した状態を示す図であり、図２は健康機能性自己粘着インナーウェアの一例を示す図であって、図３は健康機能性自己粘着インナーウェアの内面に付着された筋肉テープの断面を示す図である。
【００１９】
本発明の健康機能性自己粘着インナーウェア（ｉｎｎｅｒ  ｗｅａｒ）１００は、文字通り健康機能性を備え、自己粘着によって人体の皮膚と直接接触して粘着されるインナーウェアを意味するが、自己粘着によって人体の皮膚と接触するため、人体の皮膚は一定な程度で引き上げられるようになる。
【００２０】
インナーウェア１００の内面には筋肉テープ１１０、１２０、１３０、１４０が接着されるが、人体部位に応じて、または該当人体部位の症状に応じて予め設定されたパターンに付着される。例えば、図１に示したように、人体の肩、腕と手首、膝、及び脇と腹部分に対応する位置でインナーウェア１００の内面に接着され、それぞれ異なるパターンを備えるが、例えば、図２のように肩部位にのみ筋肉テープ１１０が接着されたＴ−シャツの形態に提供されてもよい。
【００２１】
図３を参照すると、筋肉テープ１１０はインナーウェア１００の内面に直接付着されるベース層１１２、ベース層１１２の上に積層された健康機能性物質層１１４、及び健康機能性物質層１１４の上に積層されて皮膚１０に接触する自己粘着層１１６で形成される。
【００２２】
健康機能性物質層１１４は、自己粘着層１１６が接触する人体部位での症状に応じてそれぞれ異なる健康機能性物質を含有する。
【００２３】
上述したように、一つのインナーウェア１００の内面に多数の筋肉テープ１１０、１２０、１３０、１４０が付着されるが、各筋肉テープ１１０、１２０、１３０、１４０の健康機能性物質層１１４には互いに異なる成分の健康機能性物質が含有される。
【００２４】
また、各健康機能性物質層１１４における健康機能性物質の密度を調節し、健康機能性の強弱を調節することができる。
【００２５】
自己粘着層１１６は液状シリコンが硬化されて形成されることで弾性と自己粘着性を備えるが、筋肉テープ１１０が適用される人体部位の皮膚１０は自己粘着層１１６の弾性のためインナーウェア１００から弾性的に圧力を受け、自己粘着性によってインナーウェア１００が動くと皮膚１０は常に引き上げられるようになる。
【００２６】
ベース層１１２と自己粘着層１１６は全てシリコン材質で形成されるが、インナーウェア１００に固く接着される機能と皮膚１０に自己粘着される機能に差があるため、硬化速度と自己粘着力などを考慮して造成に差がある可能性がある。
【００２７】
また、皮膚１０と接触する自己粘着層１１６の模様と健康機能性物質層１１４の模様が必ずしも一致する必要はないが、自己粘着層１１６によって皮膚１０が引き上げられると血液とリンパ液の循環が円滑になり、この状態で健康機能性物質層１１４による健康機能性が効率的に提供されるため、同じ模様に形成することが好ましい。
【００２８】
自己粘着層１１６はその厚さを制御して弾性や圧迫力を調節することができる。例えば、インナーウェア１００のサイズは決まっているため、人体の特定部位で自己粘着層１１６の厚さを厚くする場合、該当部位で自己粘着層１１６が皮膚１０を圧迫する力が増加する。
【００２９】
以下、各構成を形成する方法の一例を説明する。
【００３０】
ベース層１１２の場合、液状シリコンをプリント方式でインナーウェア１００の内面に塗布すると、塗布された液状シリコンの一部はインナーウェア１００に吸収されるが、この状態で急速熱硬化によってベース層１１２が形成され、インナーウェア１００に吸収された液状シリコンの硬化によってインナーウェア１００に固く接着される。
【００３１】
ベース層１１２は究極的に自己粘着層１１６の予め設定されたパターンに対応するパターンに形成されることが好ましいが、これに限ることはない。
【００３２】
健康機能性物質層１１４は、硬化されたベース層１１２の上に健康機能性を有する物質のパウダーを液状シリコンに均一に分散混合した液状混合物を塗布し硬化して形成する。
【００３３】
健康機能性物質は多様に提供されるが、人体部位に応じて、または該当部位における症状に応じてそれに対応する健康機能性物質が利用される。
【００３４】
例えば、白金パウダーは体温が比較的高い人に適用し、金パウダーは冷や汗をよくかくか汗臭い人に適用して、それぞれ脇や股を通るパターンで筋肉テープ１１０を付着する。
【００３５】
また、ソーダライトは腎臓や肝の機能が低下した人に適用し、肝と腎臓に繋がるパターンで筋肉テープ１１０を付着する。
【００３６】
上述した例の他の、多様な種類の健康機能性物質を適用してもよいが、例えば、トルマリンやカオリンのような遠赤外線発生物質、陰イオン発生物質、ゲルマニウム、バイオセラミックパウダーや漢方抽出物などが適用されてもよい。
【００３７】
自己粘着層１１６は、液状シリコンを硬化された健康機能性物質層１１４の上に塗布し硬化して形成する。
【００３８】
上述した筋肉テープ１１０が内面に付着されたインナーウェア１００を着用すると、筋肉テープ１１０の自己粘着層１１６が皮膚１０に粘着されながら筋肉の動きに沿って皮膚を引き上げることで、究極的に血液とリンパ液の循環を円滑にする。
【００３９】
また、上述したように、健康機能性物質層１１４に含有された健康機能性物質が人体部位に応じて互いに異なる健康機能性を提供し、血液とリンパ液の循環が円滑になった状態で健康機能性を提供するため、その効果が更に倍加する。
【００４０】
例えば、健康機能性物質として白金パウダーや金パウダーを使用し、汗を多くかく脇や股に付着すれば、汗の発生を減らし汗臭さをなくす効果が得られる。
【００４１】
一方、筋肉テープ１１０を筋骨格と靭帯が並存する位置、例えば、肩などに付着すれば、筋肉テープ１１０の弾性復元力によって肩関節の運動を制限することで肩部位の筋骨格系及び靭帯の機能を補助し、２次損傷の防止と負傷部位の支持効果によって運動遂行を可能にする。特に、筋肉テープ１１０が皮膚１０に接触して粘着されることで、自己粘着性と共に筋肉テープ１１０自体が弾力を備えるため、皮膚に粘着された筋肉テープ１１０はユーザの活動にも動きが最小化されて人体の正確な部位に粘着され、その位置を維持するようになる。
【００４２】
これまで説明したように、本発明によると、液状シリコンをインナーウェアにプリントし硬化してインナーウェアと接触するベース層を先に形成することで、後に健康機能性物質層や自己粘着層を形成するために液状シリコンを塗布してもインナーウェアに吸収されないため、生産効率的に筋肉テープを製造することができる利点がある。
【００４３】
また、筋肉テープ自体としては以下のような利点を有する。
【００４４】
つまり、筋肉テープの特定パターンによって人体の各部位別に筋骨格系及び靭帯の機能を補助し、２次損傷を防止し負傷部位を支持するが、特に、筋肉テープの自己粘着性によって人体に動きがあっても該当部位に付着された状態を維持することができ、皮膚との間に間隔が発生しないためテーピング施術の効果が優位である。
【００４５】
また、筋肉テープ自体でシリコン材質の自己粘着性によって血液循環系との円滑な流れを提供するだけでなく、健康機能性物質層に含有された健康機能性物質によって血液とリンパ液の循環が円滑になった状態で健康機能性を提供するため、その効果が更に倍加する。
【００４６】
これまで本発明の実施形態を中心に説明したが、当業者の水準で多様な変更が加えられることはもちろんである。
【００４７】
例えば、前記実施例ではベース層１１２の上に健康機能性物質層１１４を別途に形成することを例に挙げているが、健康機能性物質層１１４をベース層１１２と一体に形成してもよい。
【００４８】
よって、本発明の権利範囲は上述した実施例に限って解析されてはならず、以下に記載する特許請求の範囲によって解析されるべきである。
【図１】
0006285051.tif 000002
【図２】
0006285051.tif 000003
【図３】
0006285051.tif 000004